(57)【要約】【課題】水漏れの発生を防止するとともに円滑な摺動可能性を保持する止水シャフトを提供する。【解決手段】貯水槽２の上部に形成されたガイド６を貫通して摺動可能に構成され、シャフトの先端に取り付けられた止水栓４で貯水槽２の底部の排水口３を開閉させる止水シャフト５において、貯水槽２の上部に形成されたガイド６の周囲に密着して固定される押え部１８と、嵌め込まれたシャフトの周囲に密着して結合される嵌合部１６と、押え部１８と嵌合部１６との間に屈伸自在な伸縮部１７とを有する接続部材１２を設け、その接続部材１２で貯水槽２と結合した。【選択図】        図１
2010121341.tif 000002
【特許請求の範囲】
【請求項１】
貯水槽の上部に形成された貫通孔を貫通して摺動可能に構成され、シャフトの先端に取り付けられた止水栓で該貯水槽の底部の排水口を開閉させる止水シャフトにおいて、
貯水槽の上部に形成された貫通孔の周囲に密着して固定される貯水槽結合部と、
嵌め込まれたシャフトの周囲に密着して結合されるシャフト結合部と、
前記貯水槽結合部と前記シャフト結合部との間に屈伸自在な伸縮部とを有する接続部材を設け、
前記接続部材で前記貯水槽と結合するようにしたことを特徴とする止水シャフト。
【請求項２】
請求項１の止水シャフトにおいて、
前記貯水槽結合部は、貯水槽の内側の天面に固定されていることを特徴とする止水シャフト。
【請求項３】
請求項１または請求項２の止水シャフトにおいて、
前記伸縮部は、同心円状の屈曲部に溝が形成されていることを特徴とする止水シャフト。
【請求項４】
請求項１の止水シャフトにおいて、
前記貯水槽結合部は、貯水槽の外側の天面に固定されていることを特徴とする止水シャフト。
【請求項５】
請求項４の止水シャフトにおいて、
前記貯水槽結合部は、貫通孔に向けて下方に傾斜する傾斜面を有する貯水槽の天面に固定されていることを特徴とする止水シャフト。
【請求項６】
請求項４または請求項５の止水シャフトにおいて、
前記伸縮部は、蛇腹形状に形成されていることを特徴とする止水シャフト。
【請求項７】
請求項１から請求項６のいずれか１項の止水シャフトにおいて、
前記貯水槽の貫通孔とシャフトとの間に所定の間隙を形成するようにしたことを特徴とする止水シャフト。
【発明の詳細な説明】
【技術分野】
【０００１】
本発明は、貯水槽を有する機器に利用され、排水口を開閉させる止水シャフトに関し、特に摺動可能に構成され、先端に取り付けられた止水栓で貯水槽の排水口を開閉させる止水シャフトに関する。
【背景技術】
【０００２】
従来の止水シャフトを図８および図９に基づいて説明する。
従来の止水シャフトは、図８に示すように継手管１０１を開閉する止水栓１０２が止水栓操作棒１０３の先端に取り付けられており、入れ子状の筒体１０４により保持され、その筒体１０４の上端には操作取手が取り付けられている。また、止水栓１０２の外周に密着するように筒体１０５が設けられ、その筒体１０５は入れ子状の筒体１０６と図９に示すようにパッキン１０７で密着し、筒体１０６は筒体１０５に対して摺動可能に構成されている（例えば、特許文献１参照）。
【特許文献１】特開２００７−４００５８号公報（段落「００２９」〜段落「００３５」、図１、図５）
【発明の開示】
【発明が解決しようとする課題】
【０００３】
しかしながら、上述した従来の技術においては、止水栓、パッキン、および筒体の製造上の誤差や継続使用による磨耗により、止水栓と筒体との間や筒体と入れ子状の筒体との間の隙間が大きくなり水漏れが発生し、一方製造上の誤差や継続使用による水垢等の異物の付着により、止水栓と筒体との間や筒体と入れ子状の筒体との間の隙間が小さくなり摺動が困難になってしまうという問題がある。
【０００４】
本発明は、このような問題を解決することを課題とし、水漏れの発生を防止するとともに円滑な摺動可能性を保持する止水シャフトを提供することを目的とする。
【課題を解決するための手段】
【０００５】
そのため、本発明による止水シャフトは、貯水槽の上部に形成された貫通孔を貫通して摺動可能に構成され、シャフトの先端に取り付けられた止水栓で該貯水槽の底部の排水口を開閉させる止水シャフトにおいて、貯水槽の上部に形成された貫通孔の周囲に密着して固定される貯水槽結合部と、嵌め込まれたシャフトの周囲に密着して結合されるシャフト結合部と、前記貯水槽結合部と前記シャフト結合部との間に屈伸自在な伸縮部とを有する接続部材を設け、前記接続部材で前記貯水槽と結合するようにしたことを特徴とする。
【発明の効果】
【０００６】
このようにした本発明は、水漏れの発生を防止するとともに円滑な摺動可能性を保持することができるという効果が得られる。
【発明を実施するための最良の形態】
【０００７】
以下、図面を参照して本発明による止水シャフトの実施例を説明する。
【実施例１】
【０００８】
図１は第１の実施例における止水シャフトの構成を示す断面図、図２は第１の実施例における止水シャフトの開栓状態を示す断面図、図３は第１の実施例における接続部材の説明図である。
図１および図２において、１は貯水装置であり、貯水および排水機能を有する機器である。
【０００９】
２は貯水槽であり、３は貯水槽２の底部に設けられた排水口である。
４は止水栓であり、シリコンゴム等の弾性素材で逆傘状に形成されたものである。この止水栓４は、その傾斜面で排水口３の内周面に当接し、その排水口３を閉塞するようになっている。
５は止水シャフトであり、先端部が止水栓４の中心部に設けられた貫通孔と嵌合するように形成され、その先端部（シャフトの先端部）に取り付けられた止水栓４を支持する棒状のものである。
【００１０】
６および７は貫通孔としてのガイドであり、ガイド６は排水口３と同軸上になるように貯水槽２の上部に設けられ、さらにガイド７は排水口３と同軸上になるようにガイド６の上方の貯水装置１の上部に設けられている。このガイド６およびガイド７は、貫通する止水シャフト５との間に所定の間隙が形成されるように設けられ、その止水シャフト５を円滑に上下摺動可能に案内するものである。
【００１１】
したがって、止水シャフト５を下方に移動させるとその先端部の止水栓４で排水口３を閉塞することができ、また止水シャフト５を上方に移動させるとその先端部の止水栓４は排水口３を開放することができるようになっている。
８は昇降レバーであり、図示しない回転軸で支持され、その回転軸で回動可能に構成されたものである。この昇降レバー８は回転軸を挟み、一の端部は操作者の操作が可能になっており、他の端部は止水シャフト５を摺動させる作用部になっている。
【００１２】
９はＥリングであり、止水シャフト５に形成された溝に嵌め込まれたＥ字状の止め輪である。昇降レバー８の止水シャフト５を摺動させる作用部は摺動性を確保するためのワッシャ１０を介してＥリング９に当接するように構成されている。
１１は圧縮コイルバネ等のスプリングであり、一端がＥリング９、他端がガイド７の下面に当接するように配置され、止水シャフト５を止水栓４の方向へ付勢している。
【００１３】
このように構成された昇降レバー８の端部を回動させる操作を行うことにより、昇降レバー８の作用部により止水シャフト５を上下に摺動させることができ、止水栓４で排水口３を開閉することができるようになっている。
また、昇降レバー８は図示しないロック機構によりロックすることができるようになっており、止水栓４で排水口３を閉塞した状態または排水口３を開放した状態を保持することができるようになっている。
【００１４】
１２は貯水槽２の内部に設けられ、貯水槽２と止水シャフト５とを接続する接続部材である。この接続部材１２は、防水部材としてのパッキン１３を介して貯水槽２と結合され、また止水シャフト５に形成された溝に嵌め込まれた防水部材としてのパッキン１４を介して結束バンド等の固定部材１５により止水シャフト５と結合されている。
この接続部材１２を図３に基づいて説明する。
【００１５】
図３において、接続部材１２は、嵌め込まれた止水シャフト５と結合されるシャフト結合部としての嵌合部１６、止水シャフト５を中心として円形状に形成され、屈伸して伸縮自在な伸縮部１７、および浸水を防止するパッキン１３を介して貯水槽２の内天面と結合される貯水槽結合部としての押え部１８で構成され、これらは硬質樹脂等で形成されている。
【００１６】
嵌合部１６は浸水を防止するパッキン１４を介して止水シャフト５と嵌合し、その嵌合部１６の外周は固定部材１５で押圧されて止水シャフト５に密着して固定されている。
伸縮部１７は、同心円状のそれぞれの屈曲部に溝１９が形成され、この溝１９により屈曲が方向付けられて円滑な伸縮を可能にしている。
押え部１８は、止水シャフト５を貫通するガイド６の周囲であり、貯水槽２の内側の天面にパッキン１３を介して密着して結合している。
【００１７】
したがって、接続部材１２と止水シャフト５は、嵌合部１６で密閉されて結合し、接続部材１２と貯水槽２は押え部１８で密閉されて結合している。
上述した構成の作用について説明する。
図１において、まず昇降レバー８が操作されて図示しないロック機構が解除されるとスプリング１１の弾性力により止水シャフト５は排水口３の方向へ付勢され、止水シャフト５の先端に取り付けられた止水栓４の当接部が排水口３に当接してその排水口３を閉塞する。このとき、昇降レバー８はロック機構によりロックされて回動が規制され、止水シャフト５および止水栓４の位置が固定されて排水口３の閉塞状態が保持される。
【００１８】
次に、排水口３の閉塞状態が保持されると貯水槽２に図示しない入水口から水が入水され、貯水槽２には水が貯められる。
貯水槽２に水が貯められると接続部材１２の貯水槽２側の面が水に浸されるが、パッキン１３により接続部材１２と貯水槽２の上面との間、およびパッキン１４により接続部材１２と止水シャフト５との間は密閉されているため、接続部材１２の内部（止水シャフト５側）に貯水槽２の水が浸入することはない。
【００１９】
したがって、止水シャフト５に取り付けられたパッキン１４より上の内部に水が浸されることはない。
一方、昇降レバー８のロック機構が解除され、昇降レバー８を回動させる操作が行われると止水シャフト５はスプリング１１により付勢されている方向に対して反対の方向（図１における上方向）に移動し、止水シャフト５の先端に取り付けられた止水栓４の当接部が図２に示すように排水口３から離れてその排水口３を開放する。
【００２０】
止水シャフト５が移動するとその移動とともに接続部材１２の伸縮部１７は収縮する。このとき、伸縮部１７に形成された曲げ溝１９により、屈曲する方向が誘導され、伸縮部１７は容易に縮むことができる。
この場合も、パッキン１３により接続部材１２と貯水槽２の上面との間、およびパッキン１４により接続部材１２と止水シャフト５との間は密閉されているため、接続部材１２の内部（止水シャフト５側）に貯水槽２の水が浸入することはない。
【００２１】
止水シャフト５が所定の位置まで上昇移動されると昇降レバー８はロック機構によりロックされて回動が規制され、止水シャフト５および止水栓４の位置が固定されて排水口３の開放状態が保持され、貯水槽２の水は排水口３から排水される。
以上説明したように、第１の実施例では、パッキン１３により接続部材１２と貯水槽２の上面との間、およびパッキン１４により接続部材１２と止水シャフト５との間を密閉するようにしたため、接続部材１２の内部に貯水槽２の水が浸入することを防止することができ、水道水等の水垢の原因となる物質を含む水を使用する場合であっても、止水シャフト５に水垢が付着することはなく、長期にわたって安定した止水シャフト５の摺動性を確保することができるという効果が得られる。
【００２２】
また、接続部材１２の伸縮部１７に曲げ溝１９を形成したことにより、伸縮部１７が収縮する際、その伸縮部１７の屈曲方向が曲げ溝１９で誘導され、円滑な収縮動作を可能にし、止水シャフト５の摺動性を向上させることができ、止水栓４による排水口３の素早い開閉動作を可能にすることができるという効果が得られる。
さらに、止水シャフト５とガイド６との間に所定の間隙を形成するようにしたため、この部分で不要な摩擦力を受けることがなく、止水シャフト５の摺動性を向上させることができ、昇降レバー８の操作性を向上させることができるという効果が得られ、また止水シャフト５や貯水槽２の製造誤差による止水シャフト５の摺動性の悪化を防止することができ、またさらに止水シャフト５や貯水槽２の製造コストを低減させることができるという効果が得られる。
【実施例２】
【００２３】
第２の実施例の構成は、止水シャフトと貯水槽とを接続する接続部材を貯水槽の外側に設ける構成としたことが第１の実施例の構成と異なる。その第２の実施例の構成を図４の第２の実施例における貯水装置の構成を示す断面図、図５の第２の実施例における貯水装置の開栓状態を示す断面図、図６の第２の実施例における接続部材の説明図、および図７の第２の実施例における接続部材の斜視図に基づいて説明する。
【００２４】
なお、上述した第１の実施例と同様の部分は、同一の符号を付してその説明を省略する。
図４および図５において、２２は貯水槽２の上方に設けられ、貯水槽２と止水シャフト５とを接続する接続部材である。この接続部材２２は、一の端部で貯水槽２と結合され、また他の端部で止水シャフト５に形成された溝と結束バンド等の固定部材２５により止水シャフト５と結合されている。
【００２５】
２３は接続部材押えであり、接続部材２２の端部を貯水槽２に押圧する部材である。
ここで、接続部材２２の詳細を図６および図７に基づいて説明する。
図６および図７において、接続部材２２は、嵌め込まれた止水シャフト５と結合されるシャフト結合部としての嵌合部２６、屈伸して伸縮自在な伸縮部２７、および貯水槽２の外天面と結合される貯水槽結合部としての結合部２８で構成され、これらはシリコン等の弾性を有する部材で形成されている。
【００２６】
嵌合部２６は止水シャフト５に形成された溝２４で止水シャフト５と嵌合し、その嵌合部２６の外周は固定部材２５で押圧され止水シャフト５に固定されている。溝２４は、嵌合部２６の内側の面２９が止水シャフト５の外周面３０（溝２４の外周の凹面）で密着できるように所定の幅および高さで形成されている。
伸縮部２７は、肉薄の蛇腹形状に形成され、円滑な伸縮を可能にし、また止水シャフト５を止水栓４の方向へ付勢する弾性を有している。このため、第１の実施例で説明したスプリングは不要になる。
【００２７】
結合部２８は接続部材押え２３により押圧されて止水シャフト５を貫通するガイド６の周囲であり、貯水槽２の外側の天面（上面）に密着して固定されている。
したがって、接続部材２２と止水シャフト５は、嵌合部２６で密閉されて結合し、接続部材２２と貯水槽２は結合部２８で密閉されて結合している。
また、貯水槽２の上面には、図６に示すように止水シャフト５を貫通させて案内するガイド６に向けて下がる傾斜面３１が形成されており、貯水槽２の上方に水が浸水した場合であっても、その水は止水シャフト５とガイド６との間に形成された間隙３２から貯水槽２へ流れ落ちるようになっている。
【００２８】
上述した構成の作用について説明する。
図４において、まず昇降レバー８が操作されて図示しないロック機構が解除されると接続部材２２の伸縮部２７の弾性力により止水シャフト５は排水口３の方向へ付勢され、止水シャフト５の先端に取り付けられた止水栓４の当接部が排水口３に当接してその排水口３を閉塞する。このとき、昇降レバー８はロック機構によりロックされて回動が規制され、止水シャフト５および止水栓４の位置が固定されて排水口３の閉塞状態が保持される。
【００２９】
次に、排水口３の閉塞状態が保持されると貯水槽２に図示しない入水口から水が入水され、貯水槽２には水が貯められる。
貯水槽２に水が貯められるとガイド６と止水シャフト５との間隙から貯水槽２の水が接続部材２２の内部に流れ込むことがあるが、接続部材２２の結合部２８は貯水槽２の上面と、また嵌合部２６は止水シャフト５と密閉されているため、接続部材２２の外側に水が漏れることはない。
【００３０】
一方、昇降レバー８のロック機構が解除され、昇降レバー８を回動させる操作が行われると止水シャフト５はＥリング９により付勢されている方向に対して反対の方向（図４における上方向）に移動して伸縮部２７が伸び、止水シャフト５の先端に取り付けられた止水栓４の当接部が図５に示すように排水口３から離れてその排水口３を開放する。
止水シャフト５が移動するとその移動とともに接続部材２２の伸縮部２７は収縮する。このとき、伸縮部２７は蛇腹形状に形成されているため、縮むことができる。
【００３１】
このとき、接続部材２２の内側に水が溜まっている場合、その水は貯水槽２の上面に形成された傾斜面３１を止水シャフト５とガイド６との間隙に向かって流れ、やがて貯水槽２へ流れ落ちる。したがって、止水シャフト５への水の付着を防止することができる。
止水シャフト５が所定の位置まで上昇移動されると昇降レバー８はロック機構によりロックされて回動が規制され、止水シャフト５および止水栓４の位置が固定されて排水口３の開放状態が保持され、貯水槽２の水は排水口３から排水される。
【００３２】
以上説明したように、第２の実施例では、貯水槽２の上面に傾斜面３１を形成したことにより、止水シャフト５への水の付着を防止することができ、水道水等の水垢の原因となる物質を含む水を使用する場合であっても、止水シャフト５に水垢が付着することはなく、長期にわたって安定した止水シャフト５の摺動性を確保することができるという効果が得られる。
【００３３】
また、接続部材２２の伸縮部２７を蛇腹形状に形成したことにより、伸縮部２７が伸縮する際、円滑な伸縮動作を可能にし、止水シャフト５の摺動性を向上させることができ、止水栓４による排水口３の素早い開閉動作を可能にすることができ、さらに止水シャフト５を排水口３の方向へ付勢するスプリング等の部材が不要になるという効果が得られる。
またさらに、第１の実施例の効果と同様に、止水シャフト５とガイド６との間に所定の間隙を形成するようにしたため、この部分で不要な摩擦力を受けることがなく、止水シャフト５の摺動性を向上させることができ、昇降レバー８の操作性を向上させることができるという効果が得られ、また止水シャフト５や貯水槽２の製造誤差による止水シャフト５の摺動性の悪化を防止することができ、またさらに止水シャフト５や貯水槽２の製造コストを低減させることができるという効果が得られる。
【図面の簡単な説明】
【００３４】
【図１】第１の実施例における貯水装置の構成を示す断面図
【図２】第１の実施例における貯水装置の開栓状態を示す断面図
【図３】第１の実施例における接続部材の説明図
【図４】第２の実施例における貯水装置の構成を示す断面図
【図５】第２の実施例における貯水装置の開栓状態を示す断面図
【図６】第２の実施例における接続部材の説明図
【図７】第２の実施例における接続部材の斜視図
【図８】従来の止水シャフトの構成を示す断面図
【図９】従来の止水シャフトの構成を示す断面図
【符号の説明】
【００３５】
１    貯水装置
２    貯水槽
３    排水口
４    止水栓
５    止水シャフト
６、７  ガイド
８    昇降レバー
９    Ｅリング
１０  ワッシャ
１１  スプリング
１２、２２  接続部材
１３、１４  パッキン
１５、２５  固定部材
１６、２６  嵌合部
１７、２７  伸縮部
１８  押え部
１９  溝
２８  結合部
【図１】
2010121341.tif 000003
【図２】
2010121341.tif 000004
【図３】
2010121341.tif 000005
【図４】
2010121341.tif 000006
【図５】
2010121341.tif 000007
【図６】
2010121341.tif 000008
【図７】
2010121341.tif 000009
【図８】
2010121341.tif 000010
【図９】
2010121341.tif 000011